(57)【要約】      （修正有）【課題】出力機能に制約がある場合でも、ユーザの利便性が著しく低下することを防止する、画像出力装置を提供する。【解決手段】出力フォーマットを切り替えた際にＨＤＭＩ（登録商標）端子に接続されているモニターの表示能力情報を不揮発メモリに保持し、次に本装置が起動したときにＨＤＭＩ（登録商標）端子に接続されているモニターが現在のフォーマットを表示できない場合、不揮発メモリに保持されている表示能力情報と一致しないときのみ、モニターが表示可能なフォーマットで出力する。【選択図】図２
2019110371.tif 000002
【特許請求の範囲】
【請求項１】
映像信号を出力する第一の端子と、第一の端子に映像信号を出力していない場合に映像信号を出力する第二の端子とを有し、第一の端子からは外部表示装置から表示可能な信号形式の一覧を取得することが可能であり、
出力する信号形式の切り替えを行った時に第一の端子に接続されたいた外部表示装置の表示可能信号形式の一覧を保持しておく保持手段と、
第一の端子に接続されている外部表示装置が指定された信号形式を表示できない場合、前記保持されている表示可能信号形式の一覧を元に、信号形式の切り替えを行った時に第一の端子に表示できていたか否かを判定する判定手段と、
前記判定手段で表示できていたと判定された場合は、現在の外部表示装置が表示可能な信号形式に切り替えて第一の端子に映像信号を出力し、それ以外の場合は、第二の端子に映像信号を出力する出力制御手段と、
を持つことを特徴とする画像出力装置。
【請求項２】
前記請求項１の画像出力装置において、
本装置に電源が供給されていない状態でもデータを保持することが可能な不揮発メモリを持ち、
出力する信号形式の切り替えを行った時に第一の端子に接続されたいた外部表示装置の表示可能信号形式の一覧を前記不揮発メモリに保持する保持手段と、
主電源が切られた場合でも、前記不揮発メモリに保持されている表示可能信号形式の一覧を元に、信号形式の切り替えを行った時に第一の端子に表示できていたか否かを判定できる判定手段と、
を持つことを特徴とする。
【請求項３】
前記請求項１の画像出力装置において、
前記出力制御手段により信号形式が切り替えられた場合は、信号形式が表示できないことをユーザーに報知し、第一の端子からの出力を継続するか否かを選択させる選択手段と、
を持つことを特徴とする。
【請求項４】
前記請求項１の画像出力装置において
第一及び第二の端子とは排他にならずに映像信号を出力する第三の端子を持ち、第三の端子に外部表示装置が接続されたことを検出した場合は、第一の端子の信号形式を切り替えない出力制御手段と、
を持つことを特徴とする。
【請求項５】
前記請求項１の画像出力装置において、
本装置は複数の動作モードを持ち、
動作モードが切り替わった直後にのみ前記保持されている表示可能信号形式の一覧を元に判定を行い、次に動作モードが切り替わるまでは判定を行わない判定手段と、
を持つことを特徴とする画像出力装置。
【発明の詳細な説明】
【技術分野】
【０００１】
本発明は、所定の信号形式で映像を出力する端子を持つ装置において、出力機能に制約がある場合でもユーザーの利便性が著しく低下することを防止する制御方法に関するものである。
【背景技術】
【０００２】
近年、ユーザーがアクションカメラを装着して撮影することや、カメラをドローンに装着して空撮を行うことが増えてきている。このような目的には、小型化・軽量化されたカメラが使用される。そのため、操作スイッチの一部やＬＣＤパネルなどが省略されたカメラや、それらが着脱可能な別体ユニットとして提供されているカメラが発売されている。ＬＣＤパネルがないカメラにおいてカメラの設定を変更する際は、ＨＤＭＩ（登録商標）端子に接続した外部モニターに設定メニューを表示して、ユーザーはそれを見ながら変更を行う。
【０００３】
一方で、４Ｋ解像度での映像を記録するカメラも一般的となっており、そのようなカメラではＨＤＭＩ端子から４Ｋ映像を出力できるものも多い。しかしながら、すべてのモニターが４Ｋ映像に対応しているわけでない。４Ｋ出力を行う設定になっている時に、４Ｋ非対応モニターを接続すると、カメラ側は出力を停止してしまう。その結果、ユーザーは４Ｋ映像の撮影時にカメラの設定を変更する手段がなくなってしまうという問題が発生する。また、４Ｋ対応モニターが普及した後でも、次の８Ｋ映像への移行時にも同じ問題が発生する可能性は高い。
【０００４】
そこで、特許文献１では、モニター側で入力された信号が表示可能か判定し、表示ができない場合は出力装置側に戻して出力装置側は表示可能な信号形式に切り替えるディスプレイ制御システムを提案している。また、特許文献２では、受信した番組データに含まれる映像の解像度を示す情報が表示装置で表示可能な解像度であるか否かを判別し、解像度が表示装置で表示できないと判別された場合は表示できないことを報知するデジタルテレビ放送受信装置を提案している。
【先行技術文献】
【特許文献】
【０００５】
【特許文献１】特開平９−１３８６７４号公報
【特許文献１】特開２０１６−１０３８１３号公報
【発明の概要】
【発明が解決しようとする課題】
【０００６】
業務用途ではＳＤＩ端子が一般的に使用されているため、カメラはＳＤＩ端子とＨＤＭＩ端子の両方を持つ。４Ｋ６０ｐ映像を伝送するためには３Ｇ−ＳＤＩで４本の端子が必要となり、カメラの大型化につながってしまう。また、１２Ｇ−ＳＤＩなら１本で伝送可能だが、カメラだけではなく、既存の放送設備を含めて対応には大きなコストがかかってしまう。
【０００７】
そのため、ＳＤＩ端子は３Ｇ−ＳＤＩで２Ｋ出力までとし、ＨＤＭＩ端子からのみ４Ｋ出力が可能というカメラがある。このような小型化を要するカメラでは、回路規模を小さくしているためＳＤＩ用の映像とＨＤＭＩ用の映像を同時に生成することができず、ＨＤＭＩ端子からの出力中は、ＳＤＩ端子からの出力を停止することが多い。
【０００８】
しかしながら、上記従来例では、表示可能な信号形式に変えて強制的にＨＤＭＩ出力を行ってしまうため、ＳＤＩ端子から映像が出力されず、ユーザーの意図と反する挙動になってしまうことがある。
【０００９】
本発明は、このような問題を解決し、出力機能に制約がある場合でもユーザーの利便性が著しく低下することを防止する画像出力装置を提示することを目的とする。
【課題を解決するための手段】
【００１０】
本発明の画像出力装置は、映像信号を出力する第一の端子と、第一の端子に映像信号を出力していない場合に映像信号を出力する第二の端子とを有し、第一の端子からは外部表示装置から表示可能な信号形式の一覧を取得することが可能であり、
出力する信号形式の切り替えを行った時に第一の端子に接続されたいた外部表示装置の表示可能信号形式の一覧を保持しておく保持手段と、
第一の端子に接続されている外部表示装置が指定された信号形式を表示できない場合、前記保持されている表示可能信号形式の一覧を元に、信号形式の切り替えを行った時に第一の端子に表示できていたか否かを判定する判定手段と、
前記判定手段で表示できていたと判定された場合は、現在の外部表示装置が表示可能な信号形式に切り替えて第一の端子に映像信号を出力し、それ以外の場合は、第二の端子に映像信号を出力する出力制御手段と、
を持つことを特徴としている。
【００１１】
また、本発明の他の特徴とするところは、前記請求項１の画像出力装置において、
本装置に電源が供給されていない状態でもデータを保持することが可能な不揮発メモリを持ち、
出力する信号形式の切り替えを行った時に第一の端子に接続されたいた外部表示装置の表示可能信号形式の一覧を前記不揮発メモリに保持する保持手段と、
主電源が切られた場合でも、前記不揮発メモリに保持されている表示可能信号形式の一覧を元に、信号形式の切り替えを行った時に第一の端子に表示できていたか否かを判定できる判定手段と、
を持つことを特徴としている。
【００１２】
また、本発明の他の特徴とするところは、前記請求項１の画像出力装置において、
前記出力制御手段により信号形式が切り替えられた場合は、信号形式が表示できないことをユーザーに報知し、第一の端子からの出力を継続するか否かを選択させる選択手段と、
を持つことを特徴としている。
【００１３】
また、本発明の他の特徴とするところは、前記請求項１の画像出力装置において
第一及び第二の端子とは排他にならずに映像信号を出力する第三の端子を持ち、第三の端子に外部表示装置が接続されたことを検出した場合は、第一の端子の信号形式を切り替えない出力制御手段と、
を持つことを特徴としている。
【００１４】
また、本発明の他の特徴とするところは、前記請求項１の画像出力装置において、
本装置は複数の動作モードを持ち、
動作モードが切り替わった直後にのみ前記保持されている表示可能信号形式の一覧を元に判定を行い、次に動作モードが切り替わるまでは判定を行わない判定手段と、
を持つことを特徴としている。
【発明の効果】
【００１５】
以上説明したように、本発明によれば、ユーザーの意図と異なる出力制御を行うことがなくなる。その結果、ユーザーの利便性が著しく低下することを防止することができる。
【図面の簡単な説明】
【００１６】
【図１】実施例の構成図
【図２】ＣＰＵにより実行される出力制御手段のフローチャート
【図３】ＨＤＭＩ出力を切り替えた時のメッセージの表示例
【図４】ＨＤＭＩ出力の切り替え例
【発明を実施するための形態】
【００１７】
以下、図面を参照して、本発明の実施例を詳細に説明する。図１は、本発明に係わる画像出力装置の一実施例を組み込んだビデオカメラの構成図である。ビデオカメラの構成と基本機能を説明する。
【００１８】
まず、ＣＰＵ１０１は、ＲＯＭ１０２からプログラムを読み込み、それに従ってビデオカメラ各部の制御を行う。また、ＲＡＭ１０３には、ＣＰＵ１０１が制御を行うときに利用する各種データ、及び、各回路から出力される画像データが格納される。
【００１９】
通常、ビデオカメラは、撮影モードと再生モードを持ち、ユーザーは操作部１０６を操作することによりモードを切り替えることができる。また、撮影モードにおいては、記録する画像の解像度及びフレームレートをユーザーがメニュー等が設定する。記録解像度としては、４Ｋ解像度（４０９６ｘ２１６０または３８４０ｘ２１６０）や２Ｋ解像度（２０４８ｘ１０８０または１９２０ｘ１０８０）が一般的であるが、今後は６Ｋや８Ｋといった高解像度も考えられる。また、フレームレートとしては、５０ｆｐｓ／６０ｆｐｓを超えるハイフレームレートも考えられる。
【００２０】
操作部１０４は例えば、電源スイッチ、撮影／再生モード切り替えスイッチ、記録開始／停止スイッチ、メニュー操作スイッチ等の操作部材で構成される。これにはタッチパネルやポインティングデバイス等のＧＵＩ操作部材も含まれる。操作部１０４は、ユーザーによりこれらの操作部材が操作されるとＣＰＵ１０１に操作信号を送信し、ＣＰＵ１０１は所望の動作を行う。
【００２１】
撮像部１０５は、一般的にレンズとイメージセンサから構成されており、レンズを通してイメージセンサ上に結像された被写体像を電気的な画像信号として出力する。
【００２２】
画像処理回路１０６は、撮影モードにおいては、入力された画像信号をデジタルデータに変換し、各種の画像補正処理を行った上で、画像データとしてＲＡＭ１０３に格納する。
【００２３】
記録再生回路１０７は、撮影モードにおいては、ＣＰＵ１０１からの記録開始指示に応じて、ＲＡＭ１０３に格納されている画像データを読み込み、所望の形式で圧縮符号化し、メモリーカード１０８に記録する。また、再生モードにおいては、逆にメモリーカード１０８からデータを読み出し、伸張復号化し、ＲＡＭ１０３に画像データを格納する。メモリーカード１０８はランダムアクセス可能な記録媒体である。メモリーカード１０８は、フラッシュメモリやコントローラを内蔵した記憶装置から構成される。
【００２４】
ＯＳＤ生成回路１０９は、ＣＰＵ１０１からの指示によりメニュー、アイコンまたはメッセージなどのＯＳＤ（オンスクリーンディスプレイ）データを生成し、ＲＡＭ１０３に格納する。
【００２５】
画像出力回路１１０は、ＲＡＭ１０３に格納された画像データ、及び、ＯＳＤデータを読み込み、それらを重畳し、ＣＰＵ１０１からの指示に応じてＨＤＭＩ端子１１１またはＳＤＩ端子１１２のいずれかに則った信号形式に変換して、ＨＤＭＩ端子１１１またはＳＤＩ端子１１２に出力する。ＨＤＭＩ端子１１１にはＨＤＭＩモニターが、ＳＤＩ端子１１２にはＳＤＩモニターが接続され、ユーザーは撮影画像、再生画像、及び、メニュー等のＯＳＤ表示を見ることができる。
【００２６】
また、ＨＤＭＩ端子１１１には、モニターが接続されると変化する信号線が含まれており、ＣＰＵ１０１はその信号線の状態を読み取ることにより、モニターが接続されているか否かを判断することができる。
【００２７】
ＨＤＭＩデータ通信回路１１３は、ＣＰＵ１０１からの指示により、接続されたモニターからＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得することができる。ＣＰＵ１０１は、ＥＤＩＤからなモニターが表示可能な信号形式（解像度及びフレームレート）の一覧を抽出し、ＲＡＭに格納する。以下では、この表示可能な信号形式の一覧をＨＤＭＩ能力情報と呼ぶ。
【００２８】
ＣＰＵ１０１は、ＨＤＭＩ端子にモニターが接続されており、かつ、ＨＤＭＩ能力情報を元に、現在の記録解像度とフレームレートが対応していると判断できれば、ＨＤＭＩ端子側に記録解像度とフレームレートで映像を出力する。ＨＤＭＩ端子にモニターが接続されていない場合、または、現在の記録解像度とフレームレートが対応していない場合は、ＳＤＩ端子側に映像を出力する。本実施例では、ＳＤＩ端子側は、記録解像度が４Ｋであっても、画像出力回路１１０が２Ｋサイズにリサイズして出力する。ただし、複数の３Ｇ−ＳＤＩ端子を持つビデオカメラや、１２Ｇ−ＳＤＩ端子を持つビデオカメラであれば、４Ｋ解像度のままで出力することも容易に考えられる。
【００２９】
また、第二の画像出力回路１１４も、同様にＲＡＭ１０３に格納された画像データ、及び、ＯＳＤデータを読み込み、それらを重畳し、ＬＣＤパネル端子１１５に出力する。ＬＣＤパネル端子１１５には、ＬＣＤパネルが接続され、ユーザーは撮影画像、再生画像、及び、メニュー等のＯＳＤ表示を見ることができる。
【００３０】
ＬＣＤパネル端子１１５にも、ＬＣＤパネルが接続されると変化する信号線が含まれており、ＣＰＵ１０１はその信号線の状態を読み取ることにより、ＬＣＤパネルが接続されているか否かを判断することができる。
【００３１】
ＳＲＡＭ１１６には、ＣＰＵ１０１が制御を行うときに利用する各種データを格納することができる。ＲＡＭ１０３と異なり、バックアップ電池１１７からの電源供給により、ビデオカメラの主電源が切られている間も、格納されたデータは保持されている。次にビデオカメラの主電源が入れられたときも、最後の格納された値を読み込むことができる。このような不揮発メモリの構成としては、他にＦｌａｓｈＲＯＭやＥＥＰＲＯＭなどの書き換え可能ＲＯＭも考えられる。
【００３２】
次に、ＣＰＵ１０１が実行する保持手段、判定手段、及び出力制御手段について、図２のフローチャートを用いて説明する。
【００３３】
最初にＳ２０１で、ＨＤＭＩ端子１１１にモニターが接続されているか否かを判断する。ＨＤＭＩモニターが接続されていない場合はＳ２１０に進み、ＲＡＭ１０３に格納されているＨＤＭＩ能力情報をクリアする。その後、Ｓ２１１に進み、画像をＳＤＩ端子１１２から出力するよう画像出力回路１１０に指示をする。この時、ＨＤＭＩ端子１１１側は出力を停止する。
【００３４】
一方、ＨＤＭＩモニターが接続されている場合はＳ２０２に進み、ＲＡＭ１０３にＨＤＭＩ能力情報が格納済みかどうかを判断し、格納されていない場合は新しいＨＤＭＩモニターが接続されたとしてＳ２０３に進み、既に格納されている場合はＨＤＭＩモニターに変化はないのでＳ２０３をスキップする。
【００３５】
Ｓ２０３ではＨＤＭＩデータ通信回路１１３に指示を行い、ＨＤＭＩ能力情報を取得した後、その情報をＲＡＭ１０３に格納して、Ｓ２０４に進む。その後、Ｓ２０４でＲＡＭ１０３に格納されているＨＤＭＩ能力情報から、記録解像度及びフレームレートがモニターに表示可能かどうかを判断する。表示可能な場合はＳ２０５に進み、表示可能でない場合はＳ２０６に進む。
【００３６】
Ｓ２０５に進むと記録解像度とフレームレートのままで画像をＨＤＭＩ端子１１１から出力するよう画像出力回路１１０に指示をする。この時、ＳＤＩ端子１１２側は出力を停止する。
【００３７】
Ｓ２０６に進むとＬＣＤパネル端子１１５にＬＣＤパネルが接続されているか否かを判断し、ＬＤＣパネルが接続されている場合はＳ２１１に進み、画像をＳＤＩ端子１１２から出力するよう指示する。
【００３８】
ＬＣＤパネルが接続されていない場合はＳ２０７に進み、ＳＲＡＭ１１６に格納されているＨＤＭＩ能力情報から、現在の記録解像度及びフレームレートに切り替えた時に接続されていたモニターが表示可能だったかどうかを判断する。記録解像度及びフレームレートを切り替えた時に表示可能なモニターが接続されていた場合は、Ｓ２０８に進む。記録可能なモニターが接続されていなかった場合はＳ２１１に進み、ＳＤＩ端子１１２からの出力を継続する。
【００３９】
Ｓ２０８では、ユーザーがＨＤＭＩ端子出力の継続を希望しているかどうかを判断する。ユーザーがＨＤＭＩ端子出力の継続を希望しない場合はＳ２１１に進み、画像をＳＤＩ端子１１２から出力するよう指示する。
【００４０】
ＨＤＭＩ端子出力の継続を希望する場合は、Ｓ２０９に進み、表示可能な解像度とフレームレートに変換して、ＨＤＭＩ端子１１１から出力するよう画像出力回路１１０に指示をする。例えば、記録解像度が４Ｋ６０Ｐの場合に、接続されているモニターが２Ｋまでしか対応していなければ、２Ｋ６０Ｐで出力する。また、モニターが４Ｋ３０Ｐまでしか対応していなければ、４Ｋ３０Ｐで出力するなどが考えられる。
【００４１】
Ｓ２０８において、ユーザーがＨＤＭＩ端子出力の継続を希望するかどうかを判断する方法は、例えばＳ２０９でＨＤＭＩ端子出力を行った上で図３に示すようなメッセージを表示し、ユーザーに選択させることが考えられる。ユーザーが「はい（３０１）」を選択した場合はＨＤＭＩ端子出力を継続し、「いいえ（３０２）」を選択した場合はＳＤＩ端子出力に切り替える。このようなメッセージを表示することにより、ユーザーは現在のＨＤＭＩ端子出力が所望のものではないと判断することができる。また、仮にＳＤＩ端子出力を望んでいた場合に、ＨＤＭＩ端子からモニターを抜かずにＳＤＩ端子出力に切り替えることができる。
【００４２】
Ｓ２０５、Ｓ２０９またはＳ２１１で、ＨＤＭＩ端子またはＳＤＩ端子から出力された後は、Ｓ２１２でユーザーが記録解像度またはフレームレートを切り替えたかどうかを判断する。記録解像度またはフレームレートが切り替えられていればＳ２１３に進み、切り替わっていなければＳ２１３をスキップする。Ｓ２１３では、記録解像度またはフレームレートが切り替わったときのＨＤＭＩ能力情報として、ＲＡＭ１１６に格納されているＨＤＭＩ能力情報をＳＲＡＭ１１６にコピーする。ＳＲＡＭ１１６に格納しておくことにより、ビデオカメラの主電源が切られた場合でも、ＨＤＭＩ能力情報を保持しておくことができ、次に電源が入れられたときでも同様にＳ２０７で判断することができる。
【００４３】
図４は、前記フローチャートの判定結果を示した表である。記録解像度、ＳＲＡＭ１１６に格納されているＨＤＭＩ能力情報及びＲＡＭ１０３に格納されている現在のＨＤＭＩ能力情報の組み合わせに応じて、ＨＤＭＩ端子とＳＤＩ端子のどちらかから画像が出力されるかが決定される。本実施例のフローチャートでは、条件判定を行ったが、このような表をＲＯＭ１０２上に格納しておき、表から判定結果を得ることも容易に考えられる。
【００４４】
記録解像度を４Ｋに切り替えた時に、４ＫＨＤＭＩモニターが接続されていた場合（ＳＲＡＭ１１６に格納されている能力情報が４Ｋ）、その後に２ＫＨＤＭＩモニターに交換すると、ユーザーが誤ったＨＤＭＩモニターを接続したと判断して、ＳＤＩ端子出力はせずに２Ｋ解像度でＨＤＭＩ端子出力し、図３のようなメッセージを表示する。また、主電源を切っている間に、別の場所に移動して、２ＫＨＤＭＩモニターを接続してしまった場合も同様に、ＳＤＩ端子出力はせずに２Ｋ解像度でＨＤＭＩ端子出力し、図３のようなメッセージを表示する。
【００４５】
一方で、記録解像度を４Ｋに切り替えた時に、２ＫＨＤＭＩモニターが接続されていた場合（ＳＲＡＭ１１６に格納されている能力情報が２Ｋ）、別の２ＫＨＤＭＩモニターに交換した時、または、次に主電源を入れた場合に２ＫＨＤＭＩモニターのままで接続構成が維持されている時、ユーザーは表示されないことを承知の上で２ＫＨＤＭＩモニターを接続していると判断して、画像をＳＤＩ端子に出力する。これにより、ユーザーの意図に反してＨＤＭＩ端子側に出力を切り替えることがなくなり、ユーザーの煩わしさを軽減することができる。
【００４６】
ＨＤＭＩモニターが接続されていなかった場合（ＳＲＡＭ１１６に格納されている能力情報がなし）、Ｓ２０７では例外的にＳ２０８に進めることも考えられる。これは、ユーザーが表示されることを期待してＨＤＭＩモニターを接続した判断できるためである。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００４９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５０】
その場合、プログラムの機能を有していれば、オブジェクトコード、インタプリタにより実行されるプログラム、ＯＳに供給するスクリプトデータ等、プログラムの形態を問わない。
【００５１】
プログラムを供給するための記録媒体としては、例えば、ハードディスク、磁気テープ等の磁気記録媒体、光／光磁気記憶媒体、不揮発性の半導体メモリでもよい。
【００５２】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５３】
１０１‥‥ＣＰＵ
１０２‥‥ＲＯＭ
１０３‥‥ＲＡＭ
１０４‥‥操作部
１０５‥‥撮像部
１０６‥‥画像処理回路
１０７‥‥記録再生回路
１０８‥‥メモリーカード
１０９‥‥ＯＳＤ生成回路
１１０‥‥画像出力回路
１１１‥‥ＨＤＭＩ端子
１１２‥‥ＳＤＩ端子
１１３‥‥ＨＤＭＩデータ通信回路
１１４‥‥第二の画像出力回路
１１５‥‥ＬＣＤパネル端子
１１６‥‥ＳＲＡＭ
１１７‥‥バックアップ電池
【図１】
2019110371.tif 000003
【図２】
2019110371.tif 000004
【図３】
2019110371.tif 000005
【図４】
2019110371.tif 000006